(57)【要約】【課題】少なくとも一方又は左右の天板を略鉛直に起立回動して、身を守るための楯代わりに使用することができる防犯机を提供する。【解決手段】防犯机１を構成する机本体２の操作部１８を操作して、一方の天板３Ａ又は左右の天板３Ａ，３Ｂを起倒機構７で略鉛直に起立回動した後、左側天板３Ａ又は右側天板３Ｂが不審者側に向けられる状態に防犯机１全体の向きを変えるか、位置を変える等して、子供や女性、老人等の保護すべき人の身を守るか、不審者が携帯する凶器から守るか、不審者の身柄を一時的に拘束する等の楯代わりに使用する。【選択図】  図１
2005245741.tif 000002
【特許請求の範囲】
【請求項１】
机本体上部に取り付けられる左右に分割された２枚の天板を、該机本体の左右上端部を支点として略鉛直に起立する起立状態と、略水平に倒伏する倒伏状態とに回動可能に設け、
上記少なくとも一方又は左右の天板を起立方向に回動する起倒手段と、
上記起倒手段が回動する天板を略鉛直に起立する起立状態と、略水平に倒伏する倒伏状態とに回動固定する固定手段とを備えた
防犯机。
【請求項２】
机本体上部に取り付けられる１枚の天板を、該机本体の一側上端部を支点として略鉛直に起立する起立状態と、略水平に倒伏する倒伏状態とに回動可能に設け、
上記天板全体を起立方向に回動する起倒手段と、
上記起倒手段が回動する天板を略鉛直に起立する起立状態と、略水平に倒伏する倒伏状態とに回動固定する固定手段とを備えた
防犯机。
【請求項３】
上記天板よりも硬い物体の貫通を防ぐことが可能な強度を有する貫通防止体を、上記天板の表裏両面又は何れか一方の面に重合した
請求項１又は２記載の防犯机。
【請求項４】
上記机本体下部に、該机本体の移動を容易にするキャスターを取り付けた
請求項１又は２記載の防犯机。
【請求項５】
上記天板の起立回動と連動して作動する報知手段を設けた
請求項１又は２記載の防犯机。
【請求項６】
上記起立状態の天板前方の目視が許容される窓部を、設天板の一部に設けた
請求項１又は２記載の防犯机。
【請求項７】
上記天板の一部又は全部を、上記起立状態の天板前方の目視が許容される材質で透明又は半透明に形成した
請求項１又は２記載の防犯机。
【発明の詳細な説明】
【技術分野】
【０００１】
この発明は、例えば子供や女性、老人等の人を不審者から守るか、不審者が携帯する凶器による攻撃を防ぐか、不審者の身柄を一時的に拘束する等の楯代わりに使用することができる防犯机に関する。
【背景技術】
【０００２】
従来、上述の防犯机としては、例えばペダルを踏んで、天板の支持を解除し、天板自体を自重によりデスク本体内部へ２つ割れ状態で落下させ、天板上に載置された姿勢等を、デスク本体内部に落下する特許文献１の緊急時用デスクと、主天板が覆われる大きさに形成した副天板を、机本体の後端側を支点として、垂直に起立する起立状態と、水平に倒伏して主天板を覆う倒伏状態との間で回動可能に枢着した特許文献２の机とがある。
【０００３】
しかし、上述の特許文献１の緊急時用デスクは、机上の載置物を瞬時に隠蔽することを目的としているので、不審者が侵入及び近寄ってきたとき、デスクを不審者に向けて、手を伸ばしても届かないように防御することは可能であるが、天板上部の空間がフリーであるため、例えば石や棒、凶器等を不審者が投げ付けてきても、回避することが不可能であり、楯代わり使用することができない。
【０００４】
且つ、特許文献２の机は、副天板を垂直に起立すれば、楯代わりに使用することが可能であるが、机本体の左右寸法よりも、机本体の前後寸法が短いため、机本体の前部側から後部側に向けて不審者が手を伸ばしたとき、不審者の手で掴まれるか、引っ張られるか、殴られる等の攻撃から回避するのに必要な距離を確保することができず、楯としての防犯効果が望めないという問題点を有している。
【０００５】
【特許文献１】特開平８−１４０７５１号公報。
【特許文献２】特開平０６−２３３７１０号公報。
【発明の開示】
【発明が解決しようとする課題】
【０００６】
この発明は上記問題に鑑み、防犯机を構成する少なくとも一方又は左右の天板を略鉛直に起立回動して、該起立状態の天板が不審者側に向けられる状態に防犯机全体の向きを変えることにより、不審者から身を守るか、凶器による攻撃を防ぐか、不審者の身柄を一時的に拘束する等の楯代わりに使用することができる防犯机の提供を目的とする。
【課題を解決するための手段】
【０００７】
この発明は、机本体上部に取り付けられる左右に分割された２枚の天板を、該机本体の左右上端部を支点として略鉛直に起立する起立状態と、略水平に倒伏する倒伏状態とに回動可能に設け、上記少なくとも一方又は左右の天板を起立方向に回動する起倒手段と、上記起倒手段が回動する天板を略鉛直に起立する起立状態と、略水平に倒伏する倒伏状態とに回動固定する固定手段とを備えた防犯机であることを特徴とする。或いは、机本体上部に取り付けられる１枚の天板を、該机本体の一側上端部を支点として略鉛直に起立する起立状態と、略水平に倒伏する倒伏状態とに回動可能に設け、上記天板全体を起立方向に回動する起倒手段と、上記起倒手段が回動する天板を略鉛直に起立する起立状態と、略水平に倒伏する倒伏状態とに回動固定する固定手段とを備えた防犯机であることを特徴とする。
【０００８】
上述の起倒手段は、例えば天板が起立される方向に回動する回動板と、その回動板を回動付勢するコイルスプリング、或いは、モータや電磁ソレノイド、流体圧シリンダ等のアクチュエータ、或いは、カム送り機構やネジ送り機構、チェーン送り機構、クランク機構等で構成することができる。且つ、天板を、不審者を殴打するような強さ又は速さで瞬間的に回動することもできる。また、固定手段は、例えば天板を略鉛直に起立する起立状態と、略水平に倒伏する倒伏状態とに回動固定するロック機構、そのロック機構による固定動作を操作する操作部等で構成することができる。
【０００９】
つまり、防犯机を構成する固定手段による固定を解除して、少なくとも一方又は左右の天板を起倒手段で略鉛直に起立回動し、左側天板又は右側天板が不審者側に向けられる状態に防犯机全体の向きを変えるので、子供や女性、老人等の保護すべき人の身を守るか、不審者が携帯する凶器から守るか、不審者の身柄を一時的に拘束する等の楯代わりに使用する。また、左側天板及び左右天板を起倒手段で連動又は独立して回動することもできる。且つ、通常は、左右天板を略水平に倒伏する倒伏状態に固定手段で回動固定して、勉強用及び事務用、作業用の机として使用する。
【００１０】
実施の形態として、上記天板よりも硬い物体の貫通を防ぐことが可能な強度を有する貫通防止体を、上記天板の表裏両面の少なくとも一方又は内部に重合することができる。つまり、不審者が携帯する凶器等の硬い物体の貫通を天板に重合した貫通防止板で防御する。なお、物体は、例えばナイフや包丁等の鋭利な刃物、拳銃や機関銃等の銃器、棒やパイプ、チェーン等の鈍器で構成される。また、貫通防止体は、例えば鋭利な刃物、銃器の弾丸等の貫通を防ぐことが可能な強度及び構造を有し、金属製又はガラス製、プラスチック製で形成した板又はネットで構成することができる。
【００１１】
また、上記机本体下部に、該机本体の移動を容易にするキャスターを取り付けることができる。つまり、机本体を支持する複数の支持脚にキャスターを取り付ければ、不審者の位置及び行動に対応して、防犯机全体の向きを変えるか、位置を変える等の迅速な行動が容易に行える。
【００１２】
また、上記天板の起立回動と連動して作動する報知手段を設けることができる。その報知手段は、例えばブザーやスピーカー等の警報機、発光素子やランプ、照明装置等の光学式報知機で構成することができる。つまり、報知手段を天板の起立回動と連動して作動させ、不審者の接近及び侵入等を報知する。
【００１３】
また、上記起立状態の天板前方の目視が許容される窓部を、設天板に設けるか、上記天板の一部又は全部を、該起立状態の天板前方の目視が許容される材質で透明又は半透明に形成することができる。その材質としては、例えば強化ガラスやプラスチック等の透光性を有する材質がある。つまり、天板に設けた窓部と、透明又は半透明に形成した天板とを介して、不審者の位置及び行動を目視することができる。且つ、天板全体を透明又は半透明に形成すれば、目視範囲が広くなり、不審者の監視が容易となる。
【発明の効果】
【００１４】
この発明によれば、防犯机を構成する少なくとも一方又は左右の天板を略鉛直に起立回動して、左側天板又は右側天板が不審者側に向けられる状態に防犯机全体の向きを変えるので、子供や女性、老人等の保護すべき人の身を守るか、不審者が携帯する凶器から守るか、不審者の身柄を一時的に拘束する等の楯代わりに使用することができる。且つ、例えば鋭利な刃物、銃器の弾丸等の天板よりも硬い物体の貫通を天板に重合した貫通防止板が防いでくれるため、机を楯代わりに使用するとき、不審者が携帯する銃刀から保護すべき人の身を守ることができる。
【００１５】
且つ、机本体下部に取り付けたキャスターを接地して走行移動させるので、不審者の位置及び行動に対応して、防犯机全体の向きを変えるか、位置を変える等の迅速な行動が容易に行える。且つ、報知手段を天板の起立回動と連動して作動させるので、不審者の接近及び侵入等を周囲の人に報知することができる。
【００１６】
且つ、天板に設けた窓部と、透明又は半透明に形成した天板とを介して不審者を目視するので、不審者の位置及び行動を正確に把握することができ、不審者から身を守るか、不審者を拘束する等の迅速な対応が行える。
【発明を実施するための最良の形態】
【００１７】
この発明は、不審者から身を守るか、凶器による攻撃を防ぐか、不審者の身柄を一時的に拘束する等の楯代わりに使用することができるという目的を、防犯机を構成する少なくとも一方又は左右の天板を略鉛直に起立回動して、該起立状態の天板が不審者側に向けられる状態に防犯机全体の向きを変えることで達成した。
【実施例】
【００１８】
この発明の一実施例を以下図面に基づいて詳述する。
【００１９】
図面は、少なくとも一方又は左右の天板を略鉛直に起立回動して、身を守るための楯代わりに使用することができる防犯机の第１の実施形態を示し、図１、図２、図３に於いて、この防犯机１は、机本体２上部に取り付けられる左右均等な大きさに分割された左右２枚の天板３Ａ，３Ｂの裏面側下端部と、机本体２の左側上端部及び右側上端部とを連結部材４…で枢着して、左右天板３Ａ，３Ｂを、机本体２の左右上端部を支点として、略鉛直に起立する起立状態と、略水平に倒伏する倒伏状態とに起倒回動可能に設けている。且つ、机本体２全体の向き変更及び所望する方向への走行移動を容易にするキャスター５…を、机本体２下部の四隅部に垂設した脚部２ａ…下端に取り付けている。なお、左右天板３Ａ，３Ｂを、不審者側に向けられる方の天板が大きくなるように分割してもよい。
【００２０】
上述の机本体２の右側上端部に設けたリンク機構６は、天板３Ｂの裏面側と机本体２の右側面との間をリンク６ａ，６ｂで連結して、手で起倒回動される天板３Ｂを、机本体２の右側上端部を支点として、略鉛直に起立する起立状態と、略水平に倒伏する倒伏状態とに回動規制又は回動固定する。また、左側天板３Ｂ及び左右天板３Ａ，３Ｂを、図９に示すように、後述する起倒機構７で連動又は独立して起立回動することもできる。
【００２１】
前述の机本体２の左側上端部に設けた起倒機構７は、図４にも示すように、天板３Ａの裏面側下端部に当接される回動板８下端部を、机本体２左側端部に沿って連結部材４，４間に軸架した支軸９に自由回転可能に取り付け、天板３Ａの裏面側下端部に形成した凹部３Ａａに当接される方向に上下回動可能に設けている。
【００２２】
且つ、回動板８下端部に連結した支持片８ａと、机本体２の左側上枠部間に架設した支持枠２ｂとの間にコイルスプリング１０を張架して、回動板８を、コイルスプリング１０に蓄積された復元力（又は弾性力）でもって、天板３Ａの裏面側下端部に形成した凹部３Ａａ又は裏面側下端部に当接される方向に向けて回動付勢している。つまり、回動板８は、天板３Ａの裏面側下端部に形成した凹部３Ａａに当接され、天板３Ａは、回動板８に付与されるコイルスプリング１０の復元力により、連結部材４，４を中心として、略鉛直に起立する方向に向けて回動される。なお、コイルスプリング１０の復元力は、天板３Ａが不審者を殴打するような強さ又は速さで瞬間的に回動する力に設定することもできる。
【００２３】
且つ、天板３Ａは、天板３Ａ自体の下端部を机本体２の左側端部に当接するか、ストッパ（図示省略）に当接する等して、略鉛直に起立した角度（略９０度）に回動規制される。また、コイルスプリング１０の代わりに、例えばモータや電磁ソレノイド、流体圧シリンダ等のアクチュエータ、或いは、カム送り機構やネジ送り機構、チェーン送り機構、クランク機構等で回動することもできる。
【００２４】
且つ、支軸９上に設けたロック機構１１は、図５にも示すように、後述する係止部材１３が係止される受け部材１２を回動板８の一側下端部に固定し、その受け部材１２の外周面に対して円周方向に略９０度に隔てて形成した凹部１２ａ，１２ｂに係止される凸状の係止部材１３を、机本体２の左側上枠部に形成した筒状収容部１４に収容保持して、係止部材１３を、受け部材１２の凹部１２ａ，１２ｂに対して係止される突出状態と、その係止が解除され没入状態とに前後移動可能に設けると共に、筒状収容部１４に装填されたコイルスプリング１５に蓄積された復元力でもって、受け部材１２の凹部１２ａ，１２ｂに対して係止される方向に向けて常時付勢している。
【００２５】
つまり、回動板８を略鉛直に起立すると、係止部材１３が、受け部材１２の凹部１２ａに係止され、天板３Ａが略鉛直に起立する起立状態にロック固定される。一方、回動板８を略水平に倒伏すると、係止部材１３が、受け部材１２の凹部１２ｂに係止され、天板３Ａが略水平に倒伏する倒伏状態にロック固定される。
【００２６】
且つ、係止部材１３に直結したワイヤ１６の端部は、机本体２の中央上枠部に軸支したプーリ１７を介して、机本体２の右側上枠縁部及び手前側上枠縁部に設けたトリガー型の操作部１８に連結され、操作部１８のトリガーを操作すると、コイルスプリング１５の復元力に抗して、係止部材１３が、受け部材１２の凹部１２ａ，１２ｂに係止される突出状態と、その係止が解除され没入状態とに前後移動される。また、操作部１８の代わりに、例えばコントローラのスイッチ操作で起倒機構７及びロック機構１１を動作することもできる。
【００２７】
上述の机本体２は、天板３Ａ，３Ｂ及び後述する天板３Ｃの回動方向と一致する方向の机本体２の左右寸法を、一方の天板３Ａを不審者側に向けたとき、その天板３Ａが枢着された机本体２の左側部から右側部に向けて不審者が手を伸ばしても届かないような長さに形成している。つまり、不審者の手で掴まれるか、引っ張られるか、殴られる等の攻撃から回避することができる。且つ、不審者側に向けられる少なくとも左側天板３Ａ及び後述する天板３Ｃを、起立状態において、不審者側からの視界を妨げ、様々な攻撃を回避するのに適した大きさ及び形状に形成することもできる。
【００２８】
且つ、図６の（イ）に示すように、起立状態において前方の目視が許容される窓部１９を、不審者側に向けられる少なくとも一方の天板３Ａ及び後述する天板３Ｃに設けてもよい。また、他方の天板３Ｂ又は両方の天板３Ａ，３Ｂに設けることもできる。
【００２９】
且つ、図６の（ロ）に示すように、不審者側に向けられる少なくとも一方の天板３Ａ及び後述する天板３Ｃの一部又は全部を、起立状態において前方の目視が許容される強化ガラスやプラスチック等の透光性を有する材質で透明又は半透明に形成してもよい。また、他方の天板３Ｂ又は両方の天板３Ａ，３Ｂを透明又は半透明に形成することもできる。つまり、天板３Ａ，３Ｃに設けた窓部１９と、透明又は半透明に形成した天板３Ａ〜３Ｃとを介して、不審者の位置及び行動を容易に目視することができる。なお、天板３Ａ〜３Ｃ全体を透明又は半透明に形成すれば、目視範囲が広くなり、不審者の監視が容易となる。加えて、窓部１９を、天板３Ａ〜３Ｃよりも硬い物体の貫通を防ぐことが可能な強度を有する材質で透明又は半透明に形成することもできる。
【００３０】
且つ、図７の（ハ）、（ニ）に示すように、不審者が携帯する銃刀や凶器等の天板３Ａ〜３Ｃよりも硬い物体の貫通を防ぐことが可能な強度を有する板状の貫通防止体２０を、天板３Ａ〜３Ｃの表裏両面の少なくとも一方又は内部に重合している。つまり、不審者が携帯する凶器の貫通を天板３Ａ〜３Ｃに重合した貫通防止体２０で防御することができる。上述の貫通防止体２０は、例えば鋭利な刃物、銃器の弾丸等の貫通を防ぐことが可能な強度及び構造を有し、金属製又はガラス製、プラスチック製で形成した板又はネットで構成することができる。なお、凶器は、例えばナイフや包丁等の鋭利な刃物、拳銃や機関銃等の銃器、棒やパイプ、チェーン等の鈍器で構成される。
【００３１】
且つ、机本体２の下部又は側部に取り付けた報知器２１は、例えばブザーやスピーカー等の警報機で構成され、天板３Ａ〜３Ｃの起立回動と連動して略同時に作動するか、独立して作動する等して、不審者の接近及び侵入等を周囲の人に報知する。また、例えば発光素子やランプ、照明装置等の光学式報知機で報知するか、報知器２１と組み合わせてもよい。
【００３２】
図示実施例は上記の如く構成するものにして、以下、防犯机１を楯代わりに使用する方法を説明する。
【００３３】
つまり、防犯机１を構成する机本体２の操作部１８をトリガー操作して、図４、図５にも示すように、ロック機構１１の係止部材１３を、受け部材１２の凹部１２ｂから離脱させ、起倒機構７の回動板８を、コイルスプリング１０の復元力により天板３Ａの凹部３Ａａに当接して、天板３Ａを、回動板８に付与されるコイルスプリング１０の復元力で略鉛直に瞬時に起立回動する。且つ、天板３Ａを略鉛直に起立回動したとき、係止部材１３が受け部材１２の凹部１２ａに係止され、天板３Ａが略鉛直に起立する起立状態に回動規制又は回動固定される。且つ、他方の天板３Ｂを手で起立回動するか、上述の天板３Ａの起立回動と連動連動又は独立して起倒機構７で回動すると共に、天板３Ａの起立回動と連動して、不審者の接近及び侵入等を周囲の人に報知器２１で報知する。
【００３４】
且つ、図１、図２、図３にも示すように、少なくとも一方の天板３Ａ又は左右の天板３Ａ，３Ｂを略鉛直に起立回動したまま、左側天板３Ａ又は右側天板３Ｂが不審者側に向けられる状態に防犯机１全体の向きを変えるか、位置を変える等して、子供や女性、老人等の保護すべき人の身を守るか、不審者が携帯する凶器から守るか、不審者の身柄を一時的に拘束する等の楯代わりに使用する。一方、他方の天板３Ｂを手で起立回動して、略鉛直に起立する起立状態にリンク機構６で回動規制又は回動固定するか、天板３Ｂを略水平に倒伏した倒伏状態のまま防犯に使用する。また、天板３Ｂを、天板３Ａの起倒動作と連動して回動させることもできる。
【００３５】
且つ、天板３Ａを、略水平に倒伏する倒伏状態に回動する場合、操作部１８を操作して、係止部材１３を、受け部材１２の凹部１２ａから離脱させ、天板３Ａを、回動板８に付与されるコイルスプリング１０の復元力に抗して手で倒伏回動すると、係止部材１３が受け部材１２の凹部１２ｂに係止され、天板３Ａが略水平に倒伏する倒伏状態に回動規制又は回動固定される。且つ、リンク機構６による固定を解除して、他方の天板３Ｂを手で倒伏回動する。通常は、左右天板３Ａ，３Ｂを略水平に倒伏回動してロック機構１１で回動固定し、勉強用及び事務用、作業用の机として使用する。
【００３６】
以上のように、防犯机１を構成する一方の天板３Ａ又は左右の天板３Ａ，３Ｂを略鉛直に起立回動して、左側天板３Ａ又は右側天板３Ｂが不審者側に向けられる状態に防犯机１全体の向きを変えるので、子供や女性、老人等の保護すべき人の身を守るか、不審者が携帯する凶器から守るか、不審者の身柄を一時的に拘束する等の楯代わりに使用することができる。且つ、不審者が携帯する凶器の貫通を天板３Ａ，３Ｂ及び後述する天板３Ｃに重合した貫通防止体２０が防いでくれるため、机を楯代わりに使用するとき、不審者が携帯する銃刀から保護すべき人の身を守ることができる。
【００３７】
且つ、机本体２の脚部２ａ…に取り付けたキャスター５…を接地して走行移動させるので、不審者の位置及び行動に対応して、防犯机１全体の向きを変えるか、位置を変える等の迅速な行動が容易に行える。且つ、報知器２１を天板３Ａの起立回動と連動して作動させるので、不審者の接近及び侵入等を周囲の人に報知することができる。
【００３８】
且つ、天板３Ａ，３Ｂに設けた窓部１９と、透明又は半透明に形成した天板３Ａ，３Ｂとを介して不審者の行動を目視するので、不審者の位置及び行動を正確に把握することができ、不審者から身を守るか、不審者を拘束する等の迅速な対応が行える。且つ、凶器の貫通を防ぐことが可能な強度を有する材質で透明又は半透明に形成した窓部１９を介して不審者を目視するので、不審者が携帯する銃刀の貫通を防ぎながら、不審者の位置及び行動を正確に把握することができる。
【００３９】
且つ、天板３Ａ，３Ｂの回動方向と一致する方向の机本体２の左右寸法を、天板３Ａが枢着された机本体２の左側部から右側部に向けて手を伸ばしても届かないような長さに形成しているので、不審者の手で掴まれるか、引っ張られるか、殴られる等の攻撃から回避することができる。且つ、不審者側に向けられる天板３Ａ及び後述する天板３Ｃを、起立状態において前方から目視が妨げられる大きさに形成しているので、不審者側からの視界を妨げ、様々な攻撃から回避することができる。
【００４０】
図８は、机本体２上部に取り付けられる１枚の天板３Ｃを起倒回動自在に設けた防犯机１の第２の実施形態を示し、机本体２上部に取り付けた天板３Ｃ全体を、机本体２の左側上端部又は右側上端部を支点として、略鉛直に起立する起立状態と、略水平に倒伏する倒伏状態とに起倒回動するので、上述の実施形態と略同等の作用及び効果を奏することができる。なお、上述の第２実施形態に於いて、前述の第１実施形態と同一構成の部分は同一の符号を記してその詳細な説明を省略する。
【００４１】
この発明の構成と、上述の実施例との対応において、  
この発明の起倒手段は、実施例の起倒機構７に対応し、  
以下同様に、  
固定手段は、ロック機構１１及び操作部１８に対応し、  
報知手段は、報知器２１に対応するも、
この発明は、上述の実施例の構成のみに限定されるものではない。
【００４２】
例えば、机本体上部に取り付けられる前後均等な大きさに分割された前後２枚の天板を起倒回動自在に設けてもよく、机本体２の前後寸法を、一方の前側天板を不審者側に向けたとき、その天板が取り付けられた机本体の前部側から後部側に向けて不審者が手を伸ばしても届かないような長さに形成すれば、上述の実施形態と略同等の作用及び効果を奏することができる。
【図面の簡単な説明】
【００４３】
【図１】左右の天板を起倒回動する防犯机の第１の実施形態を示す斜視図。
【図２】左右の天板の起倒動作を示す正面図。
【図３】左右の天板の起倒動作を示す平面図。
【図４】起倒機構の構造を示す拡大平面図。
【図５】回動板の回動及び固定を示す拡大断面図。
【図６】イ、ロは天板前方を目視可能に設けた例を示す斜視断面図。
【図７】ハ、ニは貫通防止体を天板に重合した例を示す斜視断面図。
【図８】一方の天板を起倒回動する防犯机の第２の実施形態を示す斜視図。
【図９】左右天板を起倒回動する防犯机の第３の実施形態を示す平面図。
【符号の説明】
【００４４】
１…防犯机
２…机本体
３Ａ，３Ｂ，３Ｃ…天板
４…連結部材
５…キャスター
７…起倒機構
８…回動板
１０…コイルスプリング
１１…ロック機構
１２…受け部材
１３…係止部材
１８…操作部
１９…窓部
２０…貫通防止体
２１…報知器
【図１】
2005245741.tif 000003
【図２】
2005245741.tif 000004
【図３】
2005245741.tif 000005
【図４】
2005245741.tif 000006
【図５】
2005245741.tif 000007
【図６】
2005245741.tif 000008
【図７】
2005245741.tif 000009
【図８】
2005245741.tif 000010
【図９】
2005245741.tif 000011